(57)【要約】【課題】簡易な構成にてバレルの先端にノズルが液密にかつ強固に接続されてなるシリンジ型噴出装置を提供する。【解決手段】シリンジ型噴出装置１は、バレル１０およびノズル４０と、これらの間に配置されたパッキン６０と、ノズル４０の内部に配置された中込５０とを備える。バレル１０の先端に設けられた接続部１２には、ノズル４０が接続される。ノズル４０は、接続部１２の先端面１２ａに対向する第１対向面４２ａと、接続部１２の外周面１２ｂに対向する第２対向面４２ｂとを有する。外周面１２ｂには、環状凹部１２ｃが設けられ、第２対向面４２ｂには、第１環状突部４２ｃおよび第２環状溝部４２ｄが設けられる。パッキン６０は、環状凹部１２ｃに第１環状突部１２ｂが係合することにより、先端面１２ａと第１対向面４１ａとによって軸方向に圧縮される。第２環状突部４２ｄは、周方向の全域において接続部１２の外周面１２ｂに圧接触する。【選択図】図８
2019201985.tif 000002
【特許請求の範囲】
【請求項１】
液体を貯留するバレルと、
前記バレルに先端が挿入されたプランジャと、
前記プランジャの先端に取付けられたガスケットと、
液体を噴出するための噴出孔が設けられるとともに、前記バレルの先端に接続されたノズルと、
前記バレルと前記ノズルとの間に介在する環状のパッキンと、
少なくともその一部が前記ノズルの内部に配置され、前記ノズルとの間で液体の流路を規定する中込とを備え、
前記バレルの先端には、前記ノズルが接続された筒状の接続部が設けられ、
前記ノズルは、前記接続部の先端面に対向する第１対向面を有する環状の第１対向壁部と、前記接続部の外周面に対向する第２対向面を有する筒状の第２対向壁部とを含み、
前記パッキンは、前記接続部の先端面と前記第１対向面との間に配置され、
前記接続部の外周面には、前記接続部の周方向に沿って延びる環状凹部が設けられ、
前記第２対向面には、前記第２対向壁部の周方向に沿って延びるとともに前記第２対向壁部の径方向内側に向けて突出した第１環状突部が設けられ、
前記環状凹部に前記第１環状突部が係合することにより、前記パッキンが、前記接続部の先端面と前記第１対向面とによって挟み込まれることで軸方向に圧縮され、
前記第１環状突部が設けられた部分よりも前記ノズルの後端側に位置する部分の前記第２対向面には、前記第２対向壁部の周方向に沿って延びるとともに前記第２対向壁部の径方向内側に向けて突出した第２環状突部が設けられ、
前記第２環状突部が、前記接続部の周方向の全域において前記接続部の外周面に圧接触している、シリンジ型噴出装置。
【請求項２】
前記第１対向面に対向する前記パッキンの環状の第１主面には、前記パッキンの周方向に沿って延びる突条形状の第１リップ部が設けられ、
前記接続部の先端面に対向する前記パッキンの環状の第２主面には、前記パッキンの周方向に沿って延びる突条形状の第２リップ部が設けられ、
前記接続部の先端面と前記第１対向面とによって前記パッキンが挟み込まれることにより、前記第１リップ部および前記第２リップ部が、いずれも押し潰されている、請求項１に記載のシリンジ型噴出装置。
【請求項３】
前記中込が、前記パッキンに挿通しているとともに、前記接続部の内部に挿入されている、請求項１または２に記載のシリンジ型噴出装置。
【発明の詳細な説明】
【技術分野】
【０００１】
本発明は、シリンジ型噴出装置に関し、特に、バレルの先端に取付けられたノズルの内部に中込が配置されることにより、液体の流路がノズルと中込とによって規定されることで吐出される液体の圧力が高められてなるシリンジ型噴出装置に関する。
【背景技術】
【０００２】
シリンジ型噴出装置は、一般的なシリンジとは異なり、吐出される液体の圧力が相当程度に高められることによって液体を噴出孔から霧状に噴出する装置である。吐出される液体の圧力を高めるためには、噴出孔を含む液体の流路の断面積を十分に小さくすることが有効である。
【０００３】
たとえば、特開２００１−１３７３４４号公報（特許文献１）には、シリンジのバレルの先端にキャップ状のノズルを設け、当該ノズルに微小な噴出孔を設けるとともに、当該ノズルの内部にバルブが収容されてなるシリンジ型噴出装置が開示されている。当該バルブは、液体の流路の断面積を十分に小さくするとともに、十分に圧力が付与されていない液体の通流を防止する機能を有している。
【先行技術文献】
【特許文献】
【０００４】
【特許文献１】特開２００１−１３７３４４号公報
【発明の概要】
【発明が解決しようとする課題】
【０００５】
一般に、シリンジ型噴出装置においては、液体の吐出に際してノズルの内部に高い圧力が発生することになるため、バレルとノズルとが液密にかつ強固に接続されていることが必要である。仮に、この部分の接続が十分に強固に行なわれていない場合には、使用に際して液漏れが発生するのみならず、場合によっては液体の圧力によってノズルがバレルから脱落してしまうおそれもある。
【０００６】
したがって、本発明は、上述した問題に鑑みてなされたものであり、簡易な構成にてバレルの先端にノズルが液密にかつ強固に接続されてなるシリンジ型噴出装置を提供することを目的とする。
【課題を解決するための手段】
【０００７】
本発明に基づくシリンジ型噴出装置は、バレルと、プランジャと、ガスケットと、ノズルと、パッキンと、中込とを備えている。上記バレルは、液体を貯留するものである。上記プランジャは、上記バレルに先端が挿入されており、上記ガスケットは、上記プランジャの先端に取付けられている。上記ノズルは、液体を噴出するための噴出孔が設けられてなるものであり、上記バレルの先端に接続されている。上記パッキンは、環状であり、上記バレルと上記ノズルとの間に介在している。上記中込は、少なくともその一部が上記ノズルの内部に配置されており、上記ノズルとの間で液体の流路を規定している。上記バレルの先端には、上記ノズルが接続された筒状の接続部が設けられている。上記ノズルは、上記接続部の先端面に対向する第１対向面を有する環状の第１対向壁部と、上記接続部の外周面に対向する第２対向面を有する筒状の第２対向壁部とを含んでいる。上記パッキンは、上記接続部の先端面と上記第１対向面との間に配置されている。上記接続部の外周面には、上記接続部の周方向に沿って延びる環状凹部が設けられており、上記第２対向面には、上記第２対向壁部の周方向に沿って延びるとともに上記第２対向壁部の径方向内側に向けて突出した第１環状突部が設けられている。上記パッキンは、上記環状凹部に上記第１環状突部が係合することにより、上記接続部の先端面と上記第１対向面とによって挟み込まれることで軸方向に圧縮されている。上記第１環状突部が設けられた部分よりも上記ノズルの後端側に位置する部分の上記第２対向面には、上記第２対向壁部の周方向に沿って延びるとともに上記第２対向壁部の径方向内側に向けて突出した第２環状突部が設けられている。上記第２環状突部は、上記接続部の周方向の全域において上記接続部の外周面に圧接触している。
【０００８】
上記本発明に基づくシリンジ型噴出装置にあっては、上記パッキンの周方向に沿って延びる突条形状の第１リップ部が、上記第１対向面に対向する上記パッキンの環状の第１主面に設けられていてもよく、また、上記パッキンの周方向に沿って延びる突条形状の第２リップ部が、上記接続部の先端面に対向する上記パッキンの環状の第２主面に設けられていてもよい。その場合には、上記第１リップ部および上記第２リップ部が、上記パッキンが上記接続部の先端面と上記第１対向面とによって挟み込まれることにより、いずれも押し潰されていることが好ましい。
【０００９】
上記本発明に基づくシリンジ型噴出装置にあっては、上記中込が、上記パッキンに挿通しているとともに、上記接続部の内部に挿入されていてもよい。
【発明の効果】
【００１０】
本発明によれば、簡易な構成にてバレルの先端にノズルが液密にかつ強固に接続されてなるシリンジ型噴出装置とすることができる。
【図面の簡単な説明】
【００１１】
【図１】実施の形態に係るシリンジ型噴出装置の斜視図である。
【図２】図１に示すシリンジ型噴出装置の断面図である。
【図３】図１に示すシリンジ型噴出装置の分解斜視図である。
【図４】図２に示す領域ＩＶの拡大図である。
【図５】図４に示すＶＡ−ＶＡ線、ＶＢ−ＶＢ線およびＶＣ−ＶＣ線に沿った断面図である。
【図６】図２に示すパッキンの斜視図である。
【図７】図２に示すパッキンの組付構造を示す分解図である。
【図８】図４に示す領域ＶＩＩＩの拡大図である。
【図９】図１に示すシリンジ型噴出装置の使用時における第１段階が完了した時点での状態を示す断面図である。
【図１０】図１に示すシリンジ型噴出装置の使用時における第２段階が完了した時点での状態を示す断面図である。
【図１１】図１に示すシリンジ型噴出装置の使用時における第３段階が完了した時点での状態を示す断面図である。
【発明を実施するための形態】
【００１２】
以下、本発明の実施の形態について、図を参照して詳細に説明する。以下に示す実施の形態は、患者の一対の鼻腔に薬液を投与する経鼻投与デバイスとしてのプレフィルドタイプのシリンジ型噴出装置に本発明を適用した場合を例示するものである。なお、以下に示す実施の形態においては、同一のまたは共通する部分について図中同一の符号を付し、その説明は繰り返さない。
【００１３】
図１は、本発明の実施の形態に係るシリンジ型噴出装置の斜視図である。図２は、図１に示すシリンジ型噴出装置の断面図であり、図３は、分解斜視図である。まず、これら図１ないし図３を参照して、本実施の形態に係るシリンジ型噴出装置１の概略的な構成について説明する。
【００１４】
図１ないし図３に示すように、シリンジ型噴出装置１は、全体として細長の棒状の形状を有しており、バレル１０と、プランジャ２０と、ガスケット３０と、ノズル４０と、中込５０と、パッキン６０と、フィンガーグリップ７０と、キャップ８０と、薬液１００とを主として備えている。
【００１５】
バレル１０は、軸方向の両端が開放された細長の略円筒状の部材からなり、筒状部１１と、接続部１２と、フランジ部１３とを有している。筒状部１１は、軸方向に沿って延びる円筒状の部位からなる。接続部１２は、筒状部１１の先端に位置しており、筒状部１１よりも外径および内径が小さく形成された筒状の縮径部にて構成されている。フランジ部１３は、筒状部１１の後端に位置しており、筒状部１１よりも外径が大きく形成された拡径部にて構成されている。
【００１６】
バレル１０は、中空円柱状の空間を内部に有しており、当該空間には、ガスケット３０が収容されている。また、バレル１０の内部に形成された空間のうち、ガスケット３０が位置する部分よりもバレル１０の先端側の空間には、薬液１００が充填されており、ガスケット３０が位置する部分よりもバレル１０の後端側の空間には、ガスケット３０を押し込むためのプランジャ２０の先端が挿入されている。
【００１７】
バレル１０の材質は、薬液１００の種類に応じて適宜選択される。バレル１０は、好適にはガラスにて構成されるか、あるいは樹脂材料を原料とした射出成形品にて構成される。バレル１０は、好ましくは透明または半透明であり、バレル１０には、薬液１００の残量を示す目盛りが設けられていてもよい。
【００１８】
プランジャ２０は、細長の棒状の部材からなり、ロッド部２１と、カプラー部２２と、フランジ部２３とを有している。ロッド部２１は、軸方向に沿って延びる断面が概ね十字形状の部位からなる。カプラー部２２は、ロッド部２１の先端からプランジャ２０の軸方向に沿って突設されており、その外周面には、雄ネジ２２ａが設けられている。フランジ部２３は、ロッド部２１の後端からプランジャ２０の軸方向と直交する方向に突出する部分を含む略板状の部位からなる。
【００１９】
プランジャ２０は、その先端がバレル１０の後端からバレル１０の内部に挿入されている。プランジャ２０は、バレル１０に対して相対的に移動するように使用者が押し込み操作を行なうものであり、これによりガスケット３０がバレル１０内を移動することで薬液１００がシリンジ型噴出装置１から噴出されることになる。
【００２０】
プランジャ２０は、好適には樹脂材料を原料とした射出成形品にて構成される。なお、プランジャ２０の軸方向の所定位置には、ロッド部２１の周面から突出する第１当接部２１ａおよび第２当接部２１ｂが設けられているが、これら第１当接部２１ａおよび第２当接部２１ｂについては、後述することとする。
【００２１】
ガスケット３０は、略円柱状の部材からなり、その軸方向の後端に軸穴部３１を有している。軸穴部３１を規定するガスケット３０の内周面には、雌ネジ３１ａが設けられている。
【００２２】
ガスケット３０の軸穴部３１には、プランジャ２０のカプラー部２２が挿入されている。プランジャ２０のカプラー部２２の外周面に設けられた雄ネジ２２ａは、軸穴部３１を規定するガスケット３０の内周面に設けられた雌ネジ３１ａに螺合している。これにより、ガスケット３０は、プランジャ２０の先端に固定されることで当該プランジャ２０に取付けられている。
【００２３】
ガスケット３０は、バレル１０の筒状部１１に摺動可能に収容されている。より詳細には、ガスケット３０の外周面は、バレル１０の筒状部１１の内周面に摺接するように密着している。これにより、バレル１０の内部に充填された薬液１００が、プランジャ２０側に向けて漏れ出すことが防止されている。
【００２４】
ガスケット３０の材質は、薬液１００の種類に応じて適宜選択される。ガスケット３０は、好適にはゴム弾性体にて構成される。当該ゴム弾性体としては、ブチルゴム、ブタジエンゴム、イソプレンゴム、シリコーンゴム、熱可塑性エラストマー、シリコーンエラストマー等が利用できる。
【００２５】
ノズル４０は、有底略円筒状の部材からなり、ノズル部４１と、被接続部４２とを有している。ノズル部４１は、軸方向に沿って延びる略円筒状の部位と、当該略円筒状の部位の先端を閉塞する底部とを含んでおり、このうちの底部には、微小な開口径の噴出孔４１ａが設けられている。被接続部４２は、ノズル部４１の後端に位置しており、ノズル部４１よりも外径および内径が大きく形成された拡径部にて構成されている。
【００２６】
ノズル４０は、中空略円柱状の空間を内部に有しており、当該空間には、バレル１０の接続部１２、中込５０およびパッキン６０が収容されている。このうち、接続部１２およびパッキン６０は、被接続部４２の内部に位置しており、中込５０は、ノズル部４１の内部と被接続部４２の内部とに跨って位置している。
【００２７】
ノズル４０の被接続部４２には、その後端側からバレル１０の接続部１２が挿入されている。これにより、ノズル４０は、バレル１０の先端に接続されている。具体的には、被接続部４２の内径は、接続部１２の外径よりも僅かに小さく構成されており、これにより接続部１２が被接続部４２に圧入されることでノズル４０がバレル１０に接続されている。なお、バレル１０とノズル４０とのより詳細な接続構造については、後述することとする。
【００２８】
ノズル４０は、バレル１０に貯留された薬液１００を外部に向けて噴出させるためのものであり、使用時において薬液１００が通流する流路をその内部に有しているとともに、当該流路を通流した後の薬液１００を外部に向けて噴出する上述した噴出孔４１ａを有している。
【００２９】
ここで、詳細については後述するが、ノズル４０の内部に中込５０が配置されることにより、上述したノズル４０の内部に形成された薬液１００の流路は、その断面積が十分に小さく構成されている。これにより、使用時においてプランジャ２０がバレル１０に対して押し込まれることにより、当該流路において薬液１００の圧力が高められ、結果としてノズル４０に設けられた噴出孔４１ａから薬液１００が霧状に噴出されることになる。
【００３０】
ノズル４０の材質は、薬液１００の種類に応じて適宜選択される。ノズル４０は、好適には樹脂材料を原料とした射出成形品にて構成される。
【００３１】
中込５０は、略円柱状の部材からなり、先端側に位置する大径部５１と、後端側に位置する小径部５２とを有している。大径部５１の外径は、ノズル４０のノズル部４１の内径とほぼ同等の大きさに構成されており、小径部５２の外径は、ノズル４０のノズル部４１の内径よりも小さく構成されている。
【００３２】
大径部５１の外周面には、軸方向に沿って延びる第１溝部５１ａが設けられており、大径部５１の先端には、周方向に沿って延びる第２溝部５１ｂが設けられている。第１溝部５１ａの中込５０の先端側の端部は、第２溝部５１ｂに繋がっている。
【００３３】
中込５０の材質は、薬液１００の種類に応じて適宜選択される。中込５０は、好適には樹脂材料を原料とした射出成形品にて構成される。
【００３４】
中込５０は、上述したように、ノズル４０の内部に収容されることにより、ノズル４０との間で薬液１００の流路を規定するためのものであるが、その詳細については後述することとする。
【００３５】
パッキン６０は、軸方向において貫通する貫通孔６１を有する環状の部材からなり、上述したように、ノズル４０の被接続部４２の内部に収容されている。パッキン６０は、バレル１０とノズル４０との間に介在しており、より詳細には、バレル１０の接続部１２とノズル４０の被接続部４２との間に位置している。これにより、パッキン６０は、バレル１０とノズル４０との間から薬液１００が漏れ出すことを防止するシール部材として機能する。
【００３６】
パッキン６０の材質は、薬液１００の種類に応じて適宜選択される。パッキン６０は、好適にはゴム弾性体にて構成される。当該ゴム弾性体としては、ブチルゴム、ブタジエンゴム、イソプレンゴム、シリコーンゴム、熱可塑性エラストマー、シリコーンエラストマー等が利用できる。また、パッキン６０は、ゴム弾性体に代えて、適度な弾性を呈する樹脂製の部材にて構成されていてもよい。
【００３７】
なお、パッキン６０を含むバレル１０とノズル４０との接続構造の詳細については、前述のとおり後において詳述する。
【００３８】
フィンガーグリップ７０は、内部に収容空間７１が形成されるとともに、側部にスリット状の開口部が設けられた偏平な箱形状を有している。フィンガーグリップ７０は、バレル１０の軸方向に沿って位置する一対の壁部を有しており、当該一対の壁部のうちの先端側に位置する壁部には、バレル１０の筒状部１１が挿通された第１挿通部７２ａが設けられており、当該一対の壁部のうちの後端側に位置する壁部には、プランジャ２０のロッド部２１が挿通された第２挿通部７２ｂが設けられている。
【００３９】
フィンガーグリップ７０は、バレル１０のフランジ部１３に取付けられている。より詳細には、フィンガーグリップ７０は、その側部に設けられたスリット状の開口部を介して上述した収容空間７１にフランジ部１３が収容されることとなるように、バレル１０に対して組付けられている。
【００４０】
フィンガーグリップ７０は、バレル１０に対してプランジャ２０を押し込む際に使用者がその手指を掛けるための部位である。なお、フィンガーグリップ７０は、たとえば樹脂材料を原料とした射出成形品にて構成される。
【００４１】
フィンガーグリップ７０の第２挿通部７２ｂには、突出形状のストッパ７３が設けられている。当該ストッパ７３は、上述したプランジャ２０のロッド部２１に設けられた第１当接部２１ａおよび第２当接部２１ｂに当接可能に構成されたものである。
【００４２】
ここで、プランジャ２０に設けられた第１当接部２１ａは、断面視十字形状のロッド部２１の周方向に位置する４つの壁部のうちの隣り合う一対の壁部間を繋ぐように設けられた扇状の部位からなり、本実施の形態においては、当該第１当接部２１ａが、ロッド部２１の周方向において１８０°のピッチで一対設けられている。
【００４３】
また、プランジャ２０に設けられた第２当接部２１ｂは、断面視十字形状のロッド部２１の周方向に位置する４つの壁部のうちの隣り合う一対の壁部間を繋ぐように設けられた扇状の部位からなり、本実施の形態においては、当該第２当接部２１ｂが、ロッド部２１の周方向において１８０°のピッチで一対設けられている。
【００４４】
一対の第２当接部２１ｂは、一対の第１当接部２１ａが設けられた部分よりもプランジャ２０の後端側の位置に設けられている。また、一対の第２当接部２１ｂは、一対の第１当接部２１ａに対してロッド部２１の軸方向において重ならない位置に設けられている。
【００４５】
一方、フィンガーグリップ７０に設けられたストッパ７３は、第２挿通部７２ｂの縁部から内側に向けて突出しており、当該ストッパ７３は、第２挿通部７２ｂの周方向に沿って１８０°のピッチで一対設けられている。
【００４６】
これにより、プランジャ２０の軸方向において一対の第１当接部２１ａと一対のストッパ７３とが重なった状態にある場合には、プランジャ２０の押し込みに際して一対の第１当接部２１ａと一対のストッパ７３とが当接することになり、これによってプランジャ２０の押し込みが停止されることになる。一方で、プランジャ２０の軸方向において一対の第１当接部２１ａと一対のストッパ７３とが重なっていない状態にある場合には、プランジャ２０の押し込みに際して一対の第１当接部２１ａと一対のストッパ７３とが当接することがなく、プランジャ２０の押し込みは停止されない。
【００４７】
また、プランジャ２０の軸方向において一対の第２当接部２１ｂと一対のストッパ７３とが重なった状態にある場合には、プランジャ２０の押し込みに際して一対の第２当接部２１ｂと一対のストッパ７３とが当接することになり、これによってプランジャ２０の押し込みが停止されることになる。一方で、プランジャ２０の軸方向において一対の第２当接部２１ｂと一対のストッパ７３とが重なっていない状態にある場合には、プランジャ２０の押し込みに際して一対の第２当接部２１ｂと一対のストッパ７３とが当接することがなく、プランジャ２０の押し込みは停止されない。
【００４８】
したがって、バレル１０にその先端が挿入されたプランジャ２０を当該プランジャ２０の軸線を中心として周方向に回転させることにより、プランジャ２０の移動がフィンガーグリップ７０によって制限されたり制限されなくなったりすることになるため、プランジャ２０に設けられる第１当接部２１ａおよび第２当接部２１ｂの位置を適切に調整することにより、１回のプランジャ２０の押し込み操作によって投与される薬液１００の量を所定の量に調節することができる。
【００４９】
キャップ８０は、有底略角筒状の形状を有しており、ノズル４０に着脱自在に取付けられる。キャップ８０は、シリンジ型噴出装置１の未使用時においてノズル４０のノズル部４１を覆うようにノズル４０に取付けられる。これにより、シリンジ型噴出装置１の未使用時においては、ノズル４０に設けられた噴出孔４１ａの近傍が、キャップ８０によって清浄な状態に保たれることになる。
【００５０】
キャップ８０の材質は、薬液１００の種類に応じて適宜選択される。キャップ８０は、好適にはゴム弾性体にて構成される。当該ゴム弾性体としては、ブチルゴム、ブタジエンゴム、イソプレンゴム、シリコーンゴム、熱可塑性エラストマー、シリコーンエラストマー等が利用できる。また、キャップ８０は、ゴム弾性体に代えて、適度な弾性を呈する樹脂製の部材にて構成されていてもよい。
【００５１】
図４は、図２に示す領域ＩＶの拡大図であり、図５（Ａ）ないし図５（Ｃ）は、それぞれ図４に示すＶＡ−ＶＡ線、ＶＢ−ＶＢ線およびＶＣ−ＶＣ線に沿った断面図である。次に、これら図４および図５を参照して、本実施の形態に係るシリンジ型噴出装置１のノズル４０の内部に形成された薬液１００の流路の構成について詳説する。なお、図４および図５においては、理解を容易とするために、薬液１００の図示は省略している。
【００５２】
図４に示すように、バレル１０とノズル４０との間に介在するパッキン６０に貫通孔６１が設けられることにより、バレル１０の内部の空間とノズル４０の内部の空間とは、当該貫通孔６１を介して連通している。一方で、中込５０の後端側に位置する小径部５２は、パッキン６０に挿通しているとともに、バレル１０の接続部１２の内部に挿入されている。
【００５３】
ここで、パッキン６０の内径および接続部１２の内径は、いずれも中込５０の小径部５２の外径よりも大きく構成されている。これにより、中込５０の小径部５２とパッキン６０および接続部１２との間には、微小な隙間が形成されることになり、当該隙間によって断面積が十分に小さい薬液１００の流路が規定されることになる。
【００５４】
また、ノズル４０の内部の空間のうち、パッキン６０の貫通孔６１に隣接する部分の空間であるノズル部４１の後端側の空間には、中込５０の小径部５２が位置している。上述したように、小径部５２の外径は、ノズル部４１の内径よりも小さく構成されている。これにより、中込５０の小径部５２とノズル部４１との間にも微小な隙間が形成されることになり、当該隙間によって断面積が十分に小さい薬液１００の流路が規定されることになる。
【００５５】
図４、図５（Ａ）および図５（Ｂ）に示すように、ノズル４０の内部の空間のうち、中込５０の大径部５１が配置された空間においては、主として大径部５１の外周面に設けられた第１溝部５１ａおよび大径部５１の先端に設けられた第２溝部５１ｂによって薬液１００の流路が規定されている。
【００５６】
より詳細には、上述したように大径部５１の外径は、ノズル部４１の内径とほぼ同等の大きさに構成されているため、第１溝部５１ａの表面および第２溝部５１ｂの表面と、これらに対向する部分のノズル部４１の内周面とによって断面積が十分に小さい薬液１００の流路が規定されることになる。なお、本実施の形態においては、中込５０の周方向において１８０°のピッチで一対の第１溝部５１ａが設けられている。
【００５７】
一方、図４および図５（Ｃ）に示すように、噴出孔４１ａが設けられたノズル４０の先端（すなわちノズル部４１の上述した底部）には、上述した第２溝部５１ｂに連通する放射状に延びる複数の第１流路部４１ｂが設けられている。これら放射状に延びる複数の第１流路部４１ｂの中央部に対応する部分のノズル部４１の底部には、円柱状の空間からなる第２流路部４１ｃが設けられており、複数の第１流路部４１ｂの各々は、当該第２流路部４１ｃに連通している。この第２流路部４１ｃは、噴出孔４１ａにも連通している。
【００５８】
ここで、複数の第１流路部４１ｂおよび第２流路部４１ｃは、いずれも十分に微小に構成されており、これらによって断面積が十分に小さい薬液１００の流路が規定されることになる。
【００５９】
以上のように、本実施の形態に係るシリンジ型噴出装置１においては、ノズル４０の内部に中込５０が収容されることにより、これらノズル４０と中込５０とによって規定される薬液１００の流路の断面積が十分に小さく構成されることになり、これにより当該流路において薬液１００の圧力が高められ、結果として噴出孔４１ａから薬液１００が霧状に噴出されることになる。
【００６０】
図６（Ａ）および図６（Ｂ）は、図２に示すパッキンの斜視図であり、図７は、当該パッキンの組付構造を示す分解図である。また、図８は、図４に示す領域ＶＩＩＩの拡大図である。次に、これら図６ないし図８と前述の図３および図４とを参照して、本実施の形態に係るシリンジ型噴出装置１におけるバレル１０に対するノズル４０の組付構造について詳説する。
【００６１】
図６（Ａ）、図６（Ｂ）および図７に示すように、貫通孔６１が設けられてなる環状のパッキン６０は、軸方向に位置する一対の主面である第１主面６０ａおよび第２主面６０ｂを有している。これら第１主面６０ａおよび第２主面６０ｂは、貫通孔６１を取り囲むようにいずれも環状の形状を有している。第１主面６０ａには、周方向に沿っての延びる突条形状の第１リップ部６２ａが設けられており、第２主面６０ｂには、周方向に沿って延びる第２リップ部６２ｂが設けられている。
【００６２】
図７に示すように、パッキン６０は、第１主面６０ａがノズル４０側に配置されるとともに、第２主面６０ｂがバレル１０側に配置された状態で、これらノズル４０とバレル１０とによって挟み込まれることでシリンジ型噴出装置１に組付けられる。より詳細には、パッキン６０は、軸方向においてバレル１０とノズル４０とによって圧縮された状態でこれらバレル１０およびノズル４０に組付けられる。
【００６３】
ここで、図３、図４、図７および図８に示すように、バレル１０の接続部１２は、環状の形状を有する先端面１２ａと、略円筒面からなる外周面１２ｂとを有している。このうち、外周面１２ｂの所定位置には、周方向に沿って延びる環状凹部１２ｃが設けられている。
【００６４】
一方で、ノズル４０の被接続部４２は、ノズル部４１の後端に位置する円環板状の第１対向壁部４２Ａと、当該第１対向壁部４２Ａの外縁から連続して延びる略円筒状の第２対向壁部４２Ｂとを有している。第１対向壁部４２Ａは、バレル１０の接続部１２の先端面１２ａに対向する第１対向面４２ａを有しており、第２対向壁部４２Ｂは、バレル１０の接続部１２の外周面１２ｂに対向する第２対向面４２ｂを有している。
【００６５】
第１対向面４２ａは、環状の形状を有しており、第２対向面４２ｂは、略円筒面からなる。第２対向面４２ｂの所定位置には、周方向に沿って延びるとともに径方向内側に向けて突出した第１環状突部４２ｃが設けられている。また、第１環状突部４２ｃが設けられた部分よりもノズル４０の後端側に位置する部分の第２対向面４２ｂには、周方向に沿って延びるとともに径方向内側に向けて突出した第２環状突部４２ｄが設けられている。
【００６６】
図７に示すように、バレル１０に対するノズル４０の接続は、ノズル４０の被接続部４２にバレル１０の接続部１２が圧入されることで行なわれる。その際、ノズル４０の第１対向面４２ａとバレル１０の先端面１２ａとの間にパッキン６０を介在させることにより、パッキン６０がこれら第１対向面４２ａおよび先端面１２ａによって挟み込まれるようにする。
【００６７】
図８に示すように、組付け後の状態においては、バレル１０の接続部１２の外周面１２ｂに設けられた環状凹部１２ｃに、ノズル４０の被接続部４２の第２対向面４２ｂに設けられた第１環状突部４２ｃが係合している。これにより、バレル１０とノズル４０とが互いに遠ざかる方向に向けて移動することが制限されることになる。
【００６８】
このとき、パッキン６０の第１主面６０ａは、ノズル４０側に配置され、パッキン６０の第２主面６０ｂは、バレル１０側に配置される。そのため、組付け後においては、パッキン６０の第１主面６０ａがノズル４０の第１対向面４２ａに当接し、パッキン６０の第２主面６０ｂがバレル１０の先端面１２ａに当接する。
【００６９】
これにより、パッキン６０は、ノズル４０の第１対向面４２ａおよびバレル１０の先端面１２ａから、それぞれ互いに逆向きである図中に示す矢印Ａ１方向および矢印Ａ２方向に向けて力を受け、これによって軸方向に圧縮された状態となる。
【００７０】
一方で、圧縮されたパッキン６０の復元力を受け、バレル１０の環状凹部１２ｃは、ノズル４０の第１環状突部４２ｃから図中に示す矢印Ｂ方向に向けて（すなわちパッキン６０側に向けて）力を受ける。
【００７１】
そのため、ノズル４０とバレル１０とが軸方向において固定されることになり、これによってノズル４０がバレル１０に対して接続されることになる。
【００７２】
なお、その際、パッキン６０に設けられた第１リップ部６２ａおよび第２リップ部６２ｂは、ノズル４０の第１対向面４２ａとバレル１０の先端面１２ａとによってパッキン６０が挟まれることにより、いずれも押し潰される。これにより、パッキン６０の第１主面６０ａとノズル４０の第１対向面４２ａとが密着するとともに、パッキン６０の第２主面６０ｂとバレル１０の先端面１２ａとが密着することになり、これら部分においてノズル４０の内部の空間が外部から液密に封止されることになる。
【００７３】
ここで、上述した環状凹部１２ｃと第１環状突部４２ｃとの係合のみによってノズル４０をバレル１０に固定することとした場合には、上述したようにノズル４０とバレル１０とが軸方向においてのみ固定されることになるため、当該軸方向と交差する方向に外力が加わった場合に、これらバレル１０とノズル４０との間に大きながたつきが生じてしまうおそれがある。
【００７４】
このがたつきが使用時において発生した場合には、特にノズル４０の内部において薬液１００の圧力が高まることも相まって、バレル１０とノズル４０との間から薬液１００が漏れ出してしまうおそれがある。また、このがたつきが使用時に発生した場合には、バレル１０に対してノズル４０が軸ずれを起こすことで薬液１００の噴出方向にずれが生じることにも繋がり、狙った位置への薬液１００の投与が阻害されてしまうおそれもある。
【００７５】
そこで、本実施の形態に係るシリンジ型噴出装置１においては、上述したように、第１環状突部４２ｃが設けられた部分よりもノズル４０の後端側に位置する部分の第２対向面４２ｂに、周方向に沿って延びるとともに径方向内側に向けて突出した第２環状突部４２ｄを設けることにより、このがたつきの発生が抑制されている。
【００７６】
すなわち、図８に示すように、バレル１０の接続部１２の周方向の全域において当該接続部１２の外周面１２ｂに圧接触するように、第２対向面４２ｂに第２環状突部４２ｄを設けることにより、接続部１２が被接続部４２の第２環状突部４２ｄから図中に示す矢印Ｃ方向に向けて（すなわち径方向内側に向けて）力を受けることになり、この部分においてノズル４０とバレル１０とが径方向において固定されることになる。
【００７７】
したがって、当該構成を採用することにより、ノズル４０とバレル１０とが軸方向のみならず径方向においても固定されることになり、ノズル４０がバレル１０に液密にかつ強固に接続されることになる。そのため、ノズル４０またはバレル１０に軸方向と交差する方向に外力が加わった場合にも、これらバレル１０とノズル４０との間に大きながたつきが生じることがなくなり、結果として液漏れの発生が大幅に抑制できることになる。
【００７８】
当該効果は、未使用時のみならず、ノズル４０の内部において薬液１００の圧力が高まることになる使用時においても、これを得ることができる。すなわち、上述した構成を採用することにより、ノズル４０がバレル１０に液密にかつ強固に接続されため、シリンジ型噴出装置１の使用時において上述した外力が加わった場合にも、液漏れの発生が抑制できることになる。
【００７９】
また、上述したシリンジ型噴出装置１とすることにより、上述のとおりバレル１０とノズル４０との間のがたつきが抑制できるため、バレル１０に対するノズル４０の軸ずれも未然に防止することができ、結果として薬液１００の噴出方向にずれが生じず、狙った位置への薬液１００の投与が可能になる効果も得られる。
【００８０】
さらには、上述したシリンジ型噴出装置１とすることにより、ノズル４０の被接続部４２の第２対向面４２ｂに第２環状突部４２ｄを設けるという非常に簡素な構成にて、ノズル４０をバレル１０に液密にかつ強固に接続することができるため、製造コストが増大することもなく、安価に高性能のシリンジ型噴出装置１を提供することもできる。
【００８１】
図９ないし図１１は、図１に示すシリンジ型噴出装置の使用時における第１段階ないし第３段階が完了した時点でのそれぞれの状態を示す断面図である。次に、これら図９ないし図１１と前述の図２とを参照して、本実施の形態に係るシリンジ型噴出装置１の使用方法について説明する。
【００８２】
図２に示すように、シリンジ型噴出装置１を使用するに際しては、まず、ノズル４０が鉛直上方に配置されかつプランジャ２０が鉛直下方に配置されるように、シリンジ型噴出装置１を起立させた姿勢とし、この状態においてキャップ８０が取り外される。
【００８３】
次に、図２に示すように、第１段階として、使用者は、プランジャ２０を操作し、当該プランジャ２０を図中に示す矢印ＡＲ１方向（すなわちバレル１０側）に向けて押し込む。その際、プランジャ２０のロッド部２１に設けられた一対の第１当接部２１ａが、フィンガーグリップ７０に設けられた一対のストッパ７３に当接することにより、プランジャ２０が図中に示す距離Ｄ１だけ移動した時点で停止する。
【００８４】
この第１段階においては、プランジャ２０の上述した距離Ｄ１だけの移動に伴い、図９に示すように、バレル１０およびノズル４０の内部に含まれる空気と、バレル１０に充填された薬液１００の余剰分（すなわち、バレル１０に充填された薬液１００の総量から、一方の鼻腔に投与されるべき薬液１００の投与量と、他方の鼻腔に投与されるべき薬液１００の投与量と、投与完了後にバレル１０およびノズル４０の内部に残留する薬液１００の量とを差し引いた量）とが、噴出孔４１ａからシリンジ型噴出装置１の外部に噴出される。これにより、バレル１０およびノズル４０の内部がすべて薬液１００によって満たされた状態となり、薬液１００の投与の準備が整うことになる。
【００８５】
次に、図９に示すように、第２段階として、使用者は、プランジャ２０を操作し、当該プランジャ２０を図中に示す矢印ＡＲ２方向に向けて回転させることで上述した一対の第１当接部２１ａと一対のストッパ７３との当接を解除する。その後、使用者は、ノズル４０の先端を一方の鼻腔に挿入してプランジャ２０を操作し、当該プランジャ２０を図中に示す矢印ＡＲ３方向（すなわちバレル１０側）に向けて押し込む。その際、プランジャ２０のロッド部２１に設けられた一対の第２当接部２１ｂが、フィンガーグリップ７０に設けられた一対のストッパ７３に当接することにより、プランジャ２０が図中に示す距離Ｄ２だけ移動した時点で停止する。
【００８６】
この第２段階においては、プランジャ２０の上述した距離Ｄ２だけの移動に伴い、図１０に示すように、予め定めた一方の鼻腔への投与量に相当する分の薬液１００が、噴出孔４１ａからシリンジ型噴出装置１の外部に噴出される。これにより、一方の鼻腔への薬液１００の投与が完了する。
【００８７】
次に、図１０に示すように、第３段階として、使用者は、プランジャ２０を操作し、当該プランジャ２０を図中に示す矢印ＡＲ４方向に向けて回転させることで上述した一対の第２当接部２１ｂと一対のストッパ７３との当接を解除する。その後、使用者は、ノズル４０の先端を他方の鼻腔に挿入してプランジャ２０を操作し、当該プランジャ２０を図中に示す矢印ＡＲ５方向（すなわちバレル１０側）に向けて押し込む。その際、ガスケット３０の先端がバレル１０の接続部１２寄りの筒状部１１の端部に当接することにより、プランジャ２０が図中に示す距離Ｄ３だけ移動した時点で停止する。
【００８８】
この第３段階においては、プランジャ２０の上述した距離Ｄ３だけの移動に伴い、図１１に示すように、予め定めた他方の鼻腔への投与量に相当する分の薬液１００が、噴出孔４１ａからシリンジ型噴出装置１の外部に噴出される。これにより、他方の鼻腔への薬液１００の投与が完了する。
【００８９】
以上により、すべての操作が完了し、患者の一対の鼻腔への薬液１００の投与が完了する。このように、本実施の形態に係るシリンジ型噴出装置１とすることにより、使用時において液漏れが発生することを抑制しつつ、予め定めた投与量の薬液１００を正確に患者の一対の鼻腔に投与することが可能になる。
【００９０】
上述した本発明の実施の形態においては、ノズルの内部に収容される中込に軸方向に延びる一対の第１溝部と先端に設けられた第２溝部とを設けることにより、ノズルの内部に形成される薬液の流路の断面積が十分に小さくなるように構成した場合を例示して説明を行なったが、当該流路は必ずしもこのように構成される必要はない。すなわち、ノズルの内部に中込を収容することでノズルと中込とによって十分に断面積が小さい薬液の流路が形成されるのであれば、当該流路をどのように構成してもよい。
【００９１】
また、上述した本発明の実施の形態においては、患者の一対の鼻腔に薬液を投与する経鼻投与デバイスとしてのプレフィルドタイプのシリンジ型噴出装置に本発明を適用した場合を例示して説明を行なったが、本発明の適用対象はこれに限定されるものではなく、本発明は、他の用途に使用されるシリンジ型噴出装置にも当然にその適用が可能である。
【００９２】
このように、今回開示した上記実施の形態はすべての点で例示であって、制限的なものではない。本発明の技術的範囲は特許請求の範囲によって画定され、また特許請求の範囲の記載と均等の意味および範囲内でのすべての変更を含むものである。
【符号の説明】
【００９３】
１  シリンジ型噴出装置、１０  バレル、１１  筒状部、１２  接続部、１２ａ  先端面、１２ｂ  外周面、１２ｃ  環状凹部、１３  フランジ部、２０  プランジャ、２１  ロッド部、２１ａ  第１当接部、２１ｂ  第２当接部、２２  カプラー部、２２ａ  雄ネジ、２３  フランジ部、３０  ガスケット、３１  軸穴部、３１ａ  雌ネジ、４０  ノズル、４１  ノズル部、４１ａ  噴出孔、４１ｂ  第１流路部、４１ｃ  第２流路部、４２  被接続部、４２Ａ  第１対向壁部、４２Ｂ  第２対向壁部、４２ａ  第１対向面、４２ｂ  第２対向面、４２ｃ  第１環状突部、４２ｄ  第２環状突部、５０  中込、５１  大径部、５１ａ  第１溝部、５１ｂ  第２溝部、５２  小径部、６０  パッキン、６０ａ  第１主面、６０ｂ  第２主面、６１  貫通孔、６２ａ  第１リップ部、６２ｂ  第２リップ部、７０  フィンガーグリップ、７１  収容空間、７２ａ  第１挿通部、７２ｂ  第２挿通部、７３  ストッパ、８０  キャップ、１００  薬液。
【図１】
2019201985.tif 000003
【図２】
2019201985.tif 000004
【図３】
2019201985.tif 000005
【図４】
2019201985.tif 000006
【図５】
2019201985.tif 000007
【図６】
2019201985.tif 000008
【図７】
2019201985.tif 000009
【図８】
2019201985.tif 000010
【図９】
2019201985.tif 000011
【図１０】
2019201985.tif 000012
【図１１】
2019201985.tif 000013